(57)【要約】【課題】  プリンタ用紙の交換を容易に行うことができる眼科装置を提供する。【解決手段】  被検眼に対して検眼を行う検眼手段を備える眼科装置において、装置筐体内に設けられ前記検眼手段によって得られた検眼結果を所定の印字用紙に紙出力する印字手段であって、印字ヘッドと、該印字ヘッドと対向して配置され前記印字用紙を搬送するためのプラテンと、を有する印字手段と、前記印字手段を外部から覆うとともに前記装置筐体の外壁の一部を形成する開閉カバーであって、前記印字用紙の交換を行う際に開閉される開閉カバーと、を備え、前記開閉カバーの裏側に前記印字ヘッドもしくは前記プラテンのいずれかが設置され、前記開閉カバーの開閉動作に連動して、前記印字ヘッドと前記プラテンとの着脱がなされる。【選択図】      図２
2006326181.tif 000002
【特許請求の範囲】
【請求項１】
被検眼に対して検眼を行う検眼手段を備える眼科装置において、装置筐体内に設けられ前記検眼手段によって得られた検眼結果を所定の印字用紙に紙出力する印字手段であって、印字ヘッドと、該印字ヘッドと対向して配置され前記印字用紙を搬送するためのプラテンと、を有する印字手段と、前記印字手段を外部から覆うとともに前記装置筐体の外壁の一部を形成する開閉カバーであって、前記印字用紙の交換を行う際に開閉される開閉カバーと、を備え、前記開閉カバーの裏側に前記印字ヘッドもしくは前記プラテンのいずれかが設置され、前記開閉カバーの開閉動作に連動して、前記印字ヘッドと前記プラテンとの着脱がなされることを特徴とする眼科装置。
【請求項２】
請求項１の眼科装置において、前記装置筐体の検者側上部には被検眼像及び検眼結果を表示するモニタが検者側に向かって迫り出すように設けられているとともに前記装置筐体の検者側下部は凹部形状を有し、該凹部形状が形成される前記装置筐体部分に前記印字手段が設けられていることを特徴とする眼科装置。
【請求項３】
請求項２の眼科装置において、前記開閉カバーは前記装置筐体の一部に連結された状態で上下方向に開閉動作を行うとともに該開閉カバーは完全に開いた状態で略水平状態にて保持されることを特徴とする眼科装置。
【請求項４】
請求項１の眼科装置は、前記検眼手段と前記印字手段と前記開閉カバーとが搭載された装置筐体を被検眼に対して水平方向に移動させるための移動機構を持ち、前記開閉カバーを閉じる際に加えられる該開閉カバーへの押圧力が水平方向とは異なるように前記開閉カバーの開閉動作方向が決定されていることを特徴とする眼科装置。
【請求項５】
請求項１の眼科装置において、検者と対向するよう所定位置に配置される表示モニタと、前記表示モニタを前記所定位置から退避させるための退避機構とを装置筐体に備え、前記開閉カバーは前記退避機構によって前記表示モニタを前記所定位置から退避させた状態のときに開閉可能とされることを特徴とする眼科装置。
【請求項６】
被検眼に対して検眼を行う検眼手段と、検眼を行う検者と対向する位置に配置される表示モニタと、前記表示モニタを前記所定位置から退避させるための退避機構と、前記検眼手段によって得られた検眼結果を所定の印字用紙に対して印字を行うための印字部と、前記印字用紙を収納するための用紙収納部とを有する印字手段と、前記印字手段を外部から覆うための開閉カバーであって前記印字用紙の交換を行う際に開閉される開閉カバーとを備え、前記開閉カバーは前記退避機構によって前記表示モニタを前記所定位置から退避させた状態のときに開閉可能とされることを特徴とする眼科装置。
【発明の詳細な説明】
【技術分野】
【０００１】
本発明は、被検眼の検眼を行う眼科装置に関する。
【背景技術】
【０００２】
従来、被検眼の検眼を行う眼科装置（例えば、眼屈折力測定装置や視力検査装置など）において、測定結果等を紙出力するためのプリンタ機構を備えたものが知られている（例えば、特許文献１参照）。
【特許文献１】特開２００２−１６７０９０号公報
【発明の開示】
【発明が解決しようとする課題】
【０００３】
しかしながら、従来のプリンタ機構は、用紙交換の際に印字を行う印字ヘッドと、印字ヘッドと対向して配置されプリンタ用紙を搬送するためのプラテンとの間に用紙の先端を入れ、プラテンを回転させて紙を送り出す等の作業が必要であった。このため、プリンタ用紙を新しい用紙に交換する際に多くの手間と時間が要するものであった。
【０００４】
本発明は、上記問題点を鑑み、プリンタ用紙の交換を容易に行うことができる眼科装置を提供することを技術課題とする。
【課題を解決するための手段】
【０００５】
上記課題を解決するために、本発明は以下のような構成を備えることを特徴とする。
【０００６】
（１）  被検眼に対して検眼を行う検眼手段を備える眼科装置において、装置筐体内に設けられ前記検眼手段によって得られた検眼結果を所定の印字用紙に紙出力する印字手段であって、印字ヘッドと、該印字ヘッドと対向して配置され前記印字用紙を搬送するためのプラテンと、を有する印字手段と、前記印字手段を外部から覆うとともに前記装置筐体の外壁の一部を形成する開閉カバーであって、前記印字用紙の交換を行う際に開閉される開閉カバーと、を備え、前記開閉カバーの裏側に前記印字ヘッドもしくは前記プラテンのいずれかが設置され、前記開閉カバーの開閉動作に連動して、前記印字ヘッドと前記プラテンとの着脱がなされることを特徴とする。
（２）  （１）の眼科装置において、前記装置筐体の検者側上部には被検眼像及び検眼結果を表示するモニタが検者側に向かって迫り出すように設けられているとともに前記装置筐体の検者側下部は凹部形状を有し、該凹部形状が形成される前記装置筐体部分に前記印字手段が設けられていることを特徴とする。
（３）  （２）の眼科装置において、前記開閉カバーは前記装置筐体の一部に連結された状態で上下方向に開閉動作を行うとともに該開閉カバーは完全に開いた状態で略水平状態にて保持されることを特徴とする。
（４）  （１）の眼科装置は、前記検眼手段と前記印字手段と前記開閉カバーとが搭載された装置筐体を被検眼に対して水平方向に移動させるための移動機構を持ち、前記開閉カバーを閉じる際に加えられる該開閉カバーへの押圧力が水平方向とは異なるように前記開閉カバーの開閉動作方向が決定されていることを特徴とする。
（５）  （１）の眼科装置において、検者と対向するよう所定位置に配置される表示モニタと、前記表示モニタを前記所定位置から退避させるための退避機構とを装置筐体に備え、前記開閉カバーは前記退避機構によって前記表示モニタを前記所定位置から退避させた状態のときに開閉可能とされることを特徴とする。
（６）  被検眼に対して検眼を行う検眼手段と、検眼を行う検者と対向する位置に配置される表示モニタと、前記表示モニタを前記所定位置から退避させるための退避機構と、前記検眼手段によって得られた検眼結果を所定の印字用紙に対して印字を行うための印字部と、前記印字用紙を収納するための用紙収納部とを有する印字手段と、前記印字手段を外部から覆うための開閉カバーであって前記印字用紙の交換を行う際に開閉される開閉カバーとを備え、前記開閉カバーは前記退避機構によって前記表示モニタを前記所定位置から退避させた状態のときに開閉可能とされることを特徴とする眼科装置。
【発明の効果】
【０００７】
本発明によれば、被検眼の検眼を行う眼科装置において、プリンタ用紙の交換を容易に行うことができる。
【発明を実施するための最良の形態】
【０００８】
本発明の実施形態を図面に基づいて説明する。図１は、本実施形態の外観構成図を説明する図である。
【０００９】
１は基台であり、基台１には被検者の顔を固定するための顔支持ユニット２が固設されている。３は本体部であり、ジョイスティック４の操作により図示なき移動機構によって基台１に対して水平（ＸＺ）方向に摺動するようになっている（なお、本体部３自体を検者が動かしても水平方向に移動可能である）。５は被検眼に対して検眼を行う検眼光学系やアライメント光学系が収納された検眼部であり、本体部３の筐体内に搭載されている。なお、検眼部５に収納された検眼光学系としては、例えば、眼屈折力測定光学系や角膜形状測定光学系などが考えられる。また、ジョイスティック４に設けられた回転ノブを回転操作することにより、モータ等からなる上下（Ｙ）方向駆動機構が作動し、検眼部５は本体部３の上部ユニット３ａと共に、本体部３の下部ユニット３ｂに対して上下に移動する。さらに、検眼部５及び本体部３の上部ユニット３ａは、自動アライメントモードに対応すべく、本体部３の下部ユニット３ｂに対してＸＹＺ方向に移動するようになっている。
【００１０】
８は表示モニタであり、装置を挟んで被検者と対面する検者が表示画面を見られるよう本体部３筐体の検者側上部に設けられている。なお、表示モニタ８には、被検眼やアライメント情報、検眼結果等が表示される。また、本体部３筐体の検者側（表示モニタ側）は、図示するように表示モニタ８の下方がえぐられたような凹形状（表示モニタ８が検者側に向かって突き出た（迫り出す）形状）を有しており、この凹形状部分にプリンタ部１０が設けられ、検眼結果が印刷された用紙が検者正面に排出されるようになっている。
【００１１】
図２は、プリンタ部１０付近の構成について示す要部断面図である。図２（ａ）は開閉カバーが閉じられたときの図であり、図２（ｂ）は開閉カバーが開かれたときの図である。
【００１２】
３０はプリンタ部１０を外部から覆うとともに本体部３の外壁の一部を形成する開閉カバーであって、印字用紙の交換を行う際に開閉される。なお、開閉カバー３０は、回転軸としてのピン３０ａにて回転可能とされた状態にて本体部３の一部に連結されている。３１は開閉カバー３０を開くための押ボタンである。なお、図２（ｂ）に示すように、開閉カバー３０は完全に開かれると、略水平な状態に維持され、用紙交換の際に用紙の載置台として使用される。また、開閉カバー３０は上下方向に開閉を行うことができるようになっている。
【００１３】
装置筐体内に設けられたプリンタ部１０は、本体部３の筐体の一部である本体フレーム１１、用紙収納部１２、印字部１３、及びカッタ部１９などから構成され、所定の印字用紙に検眼結果を紙出力する。用紙収納部１２は、円弧状に形成され、ロール上に巻回された用紙２０（ロール紙）を収納保持する。印字部１３は、用紙を搬送する（送り出す）ためのプラテン１４と、このプラテン１４に対向する印字ヘッドであるサーマルヘッド１５から構成されており、プラテン１４は開閉カバー３０の裏側に、サーマルヘッド１５は本体フレーム１１側に設置されている。なお、上記構成において、プラテン１４を本体フレーム１１側に配置し、印字部１３を開閉カバー側に配置するような配置構成であってもよい。
【００１４】
プラテン１４は、用紙２０の裏面を支持するプラテン本体１４ａと、このプラテン本体１４ａの両端から延出して形成された支持軸１４ｂから構成されている。また、印字部１３の印字ヘッド側には、支持軸１４ｂと嵌合するための開口部を有する軸受１７が設けられており、プラテン１４の支持軸１４ｂを連結保持するとともに連結解除が可能な構成となっている。このような構成により、印字ヘッド（サーマルヘッド１５）に対してプラテン１４を着脱可能とすることができる。図２（ａ）に示すように、開閉カバー３０が閉じられプラテン１４と軸受１７が連結保持されると、サーマルヘッド１５に対してプラテン１４が位置決めされる。これにより、プラテン１４とサーマルヘッド１５とが対向した状態となり、プラテン１４の支持軸１４ｂ先端に設けられた図示なきギアが印字部１３側のギア機構と噛合い、印字出力が可能な状態となる。
【００１５】
なお、印字部１３の印字ヘッド側には、押ボタン３１を押したときの押圧力をプラテン１４と軸受１７との連結を解除する力に変換する変換機構１６が設けられており、これによりプラテン１４とサーマルヘッド１５とを分離させることができる構成となっている。押しボタン３１が押されると、変換機構１６によりサーマルヘッド１５がプラテン１４を押し出すように、図示するＡ方向に移動し、これによってプラテン１４の支持軸１４ｂと軸受１７との連結が外れる構成となっている。なお、プラテン１４とサーマルヘッド１５との連結がなされる際には、逆に、プラテン１４がサーマルヘッド１５をＡ方向とは反対の方向に押し戻される状態となる。
【００１６】
用紙２０への印字は、用紙２０をプラテン１４とサーマルヘッド１５との間に介在させた状態で行われる。そして、前記印字動作と連動して、図示なきモータの回転駆動によりその回転力が印字部１３のギア機構を介してプラテン１４に伝達されると、用紙２０が開閉カバー３０の外側へと搬送される。
【００１７】
カッタ部１９は、鋸刃状の刃を持ったペーパカッターであり、開閉カバー３０の外側へ搬送された用紙２０を手前側に引っ張ることによって、用紙２０が切断されるようになっている。なお、カッター部１９としては、用紙２０を切断できればよく、例えば、自動的に用紙２０を切断するオートカッタ等を用いてもよい。
【００１８】
上記のような構成を備える眼科装置において、その動作について説明する。検者は、顔支持ユニット２に被検者の顔を固定させた後、被検眼観察像等が表示されるモニタ８を見ながら、ジョイスティック４の操作により被検眼と検眼部５とのアライメントを行う。そして、アライメントが適正な状態となり、検者がジョイスティック４の頂部の測定開始スイッチを押すと、検眼部５によって被検眼の検眼（測定）が行われる（例えば、眼屈折力など）。このようにして被検眼の検眼作業が終了すると、図示なき制御部はプリンタ部１０によりその検眼結果を用紙２０に印字し、検者正面側に印字用紙２０を排出する。そして、検眼結果が印字された用紙２０は、検者の手で手前に引かれることによって、カッタ部１９にて切断される。
【００１９】
次に、用紙交換について説明する。用紙交換を行う場合、検者は、押ボタン３１を下から上へ押すことにより、開閉カバー３０を開く。このとき、押ボタン３１からの押圧力が変換機構１６によって、プラテン１４に対してサーマルヘッド１５から押圧力が付与され、プラテン１４の支持軸１４ｂが軸受１７から外されるので、開閉カバー３０は図２（ｂ）に示すように開いた状態となる。
【００２０】
次に、検者は、新しい用紙２０を図２の向き（用紙２０の印字可能面がサーマルヘッド側となる向き）にして開閉カバー３０の裏面にセットし、用紙２０の先端が開閉カバー３０の外に出るようにしてから、開閉カバー３０を閉じる。このとき、用紙２０は、開閉カバー３０の裏面によって保持されながら、用紙収納部１２に収納されていく。なお、検者が開閉カバー３０の上面を押し込むことにより、プラテン１４と軸受１７との連結がなされると、開閉カバー３０は図２（ａ）に示すように閉じた状態となり、用紙交換が完了する。
【００２１】
以上示したように、開閉カバー３０の開閉動作に連動して、サーマルヘッド１５とプラテン１４との着脱がなされることにより、検眼結果等を印字するためのプリンタの用紙交換が簡単に行えるため、プリンタ用紙交換にかかる検者の手間を軽減させることができる。
【００２２】
また、本実施形態によれば、プラテン１４と軸受１７との連結を解除するための機構では、水平方向とは異なる方向に押圧力を加えることによって、上記連結を解除させるような構成としているため、開閉カバー３０を開く際に本体部３に対して水平方向の力が加わりにくくなる。よって、本体部３が基台１に対して動きにくく、検者は開閉カバー３０を簡単に開くことができる。また、本実施形態によれば、開閉カバー３０を閉じる際に加えられる該開閉カバーの押圧力が水平方向とは異なるように開閉カバー３０の開閉動作方向が決定されているため、開閉カバー３０を閉じる際（例えば、プラテン１４と軸受１７との連結がなされる時）に本体部３に対して水平方向の力が加わりにくい。よって、開閉カバーを閉じる際に本体部３が基台１に対して動きにくく、検者は、手間を掛けることなく開閉カバー３０を簡単に閉じることができる。
【００２３】
また、実施形態によれば、開閉カバー３０が装置筐体（本体部３）に連結された状態で開閉可能な構成となっているため、開閉カバー３０の開閉動作において、プラテン１４と軸受１７との連結を行う際の位置決めが容易である。また、用紙交換を行う際に、開閉カバー３０を紛失してしまうような問題も回避できる。
【００２４】
また、本実施形態の眼科装置において、装置筐体（本体部３）の検者側形状は、表示モニタ８を見やすくするために、できるだけ検者側に表示モニタ８を位置させるとともに、ジョイスティック４の操作スペースを確保するために、検者側の本体部３下部を凹形状とし、この凹形状部の上部にプリンタ部１０を設けた構成となっている。このような構成の場合、プリンタ部１０が装置筐体の上部で隠れるとともに、ジョイスティック４の存在により、プラテンと印字ヘッドとの間にプリンタ用紙を通す構成とする従来のプリンタの構成では、用紙交換が行い難い。しかしながら、本実施形態に示すようなプラテン１４と印字ヘッド部１３とが分離可能としたプリンタの構成とすれば、検者が通常の検眼作業を行う位置にて簡単に用紙交換を行うことができる。
【００２５】
次に、表示モニタ８側にプリンタを設けた場合における第２の実施形態について説明する。図３は、表示モニタ８を所定位置から退避させることによりプリンタ用紙２０の交換を可能にした構成について説明する図である。なお、図１及び図２と同じ番号を付したものについては、特段の説明がない限り、同様の構成を備えるものとする。この場合、検者と対向するよう所定位置に配置された表示モニタ８（液晶モニタなどの薄型表示パネルが好ましい）を、その所定位置から退避（移動）させるための退避（移動）機構を装置筐体に備えた構成となっている。例えば、表示モニタ８は、回転軸を中心にほぼ垂直状態の位置（図１参照）からほぼ水平状態の位置（図３参照）まで傾斜可能に本体部３の筐体に保持されており、表示モニタ８が垂直状態のままでもその状態が維持される構成となっている（詳しい構成については、特願２００４−２４１５９７号公報を参考にされたい）。なお、所定位置に配置された表示モニタとしては、例えば、座位状態（検眼作業状態）にある検者が見やすい位置に配置された表示モニタが挙げられる。
【００２６】
プリンタ部１０は、本体部３筐体の表示モニタ８の裏側に相当する部分に設置されており、検者正面側に用紙２０を排出させるべく、開閉カバー３０の下部と本体フレーム１１との開口部から用紙２０が排出されるようになっている。
【００２７】
以上のような構成を備える装置において、用紙２０を新しいものに交換する際の動作について説明する。まず、検者は、略垂直状態の位置にある表示モニタ８を跳ね上げることによって、略水平状態とする。これにより、開閉カバー３０は開閉可能な状態となる。次に、検者は、押ボタン３１を押すことにより開閉カバー３０を開く（このとき、開閉カバー３０を開く操作に連動してサーマルヘッド１５とプラテン１４が分離される）。なお、上記表示モニタ８と同様に、開閉カバー３０が開いた状態で維持されることが好ましい。このようにして、開閉カバー３０が開かれると、用紙収納部１２の開口部が現れるので、検者は用紙交換が可能な状態となる。
【００２８】
検者は、用紙収納部１２の開口部から新しい用紙２０を用紙収納部１２にセットし、用紙２０の先端が開閉カバー３０の外に出るようにしてから、開閉カバー３０下面を押し下げていく。そして、開閉カバー３０の下面を押し込むことにより、プラテン１４の支持軸１４ｂと軸受１７が連結されると、開閉カバー３０は閉じた状態となり、用紙交換が完了する。
【００２９】
以上のような構成であっても、プリンタの用紙交換を検者が座った状態（検眼作業を行う状態）で簡単に行えるとともに、表示モニタ８の裏側のスペースを有効に用いることができる。すなわち、検者側（表示モニタ８側）にプリンタを配置しようとした場合、表示モニタ８等の存在によってプリンタの配置スペースが限られてくるが、上記構成とすれば、プリンタの配置の選択肢を増やすことができる。
【００３０】
また、表示モニタ８が本体部３の所定位置にほぼ固定された構成の場合、検者側（表示モニタ８側）にプリンタを配置しようとすると、プリンタの用紙交換に要するスペースが少なくなり用紙交換がしづらくなる（例えば、検者の手が窮屈となる）ことが考えられる。そこで、上記構成とすれば、用紙収納部の開口部の大きさや、印字ヘッドとプラテンの間に紙を介在させる際のスペース（プラテンと印字ヘッドが常時連結式の場合）を十分に確保することができるので、用紙交換が簡単に行うことができる。
【００３１】
なお、本実施形態においては、表示モニタ８を回転軸８ａを中心に跳ね上げるような構成としたが、これに限るものではなく、本体部３の筐体に対して所定位置に配置された表示モニタ８を、その所定位置から退避できるような構成であればよい。例えば、表示モニタ８を上下もしくは左右にスライドさせるような構成であってもよい。また、表示モニタ８の回転軸８ａを、表示モニタ８の下端側や左右端側のいずれかに設けることで、これらを回転軸として表示モニタ８を退避させるような構成であってもよい。
【００３２】
また、上記構成において、表示モニタ８に開閉カバー３０の役割を兼用させるようにしてもよい。この場合、表示モニタ８を所定位置から退避させると、用紙収納部１２の開口部分が現れるため、用紙交換をスムーズに行うことが可能となる。
【００３３】
なお、上記実施形態において、表示モニタ８を所定位置から退避させた状態で、表示モニタ８の裏側のスペースを使って用紙交換を行うという技術思想自体は、プラテンと印字ヘッドが分離可能な構成を持つプリンタ（図２、図３参照）に限るものではなく、他のプリンタであっても適用可能である。
【００３４】
図４は、プラテンと印字ヘッドが常時連結されたプリンタを用いたときの図である。なお、以下の構成を変容例として説明する。なお、図３と同じ番号を付したものについては、特段の説明がない限り、同様の構成を備えるものとする。
【００３５】
なお、本変容例においては、開閉カバー３０上端にロック爪３０ａが形成されており、本体フレーム１１の爪部１１ａによって係止されるようになっている。一方、開閉カバー３０下端に凸部３０ｂが形成されており、本体フレーム１１の凹部１１ｂによって嵌合されるようになっている。開閉カバ−３０は、凸部３０ｂと凹部１１ｂとを嵌合させた状態で、ロック爪３０ａと爪部１１ａで係止状態とすることにより、プリンタ部１０を外部から覆うことができる。そして、開閉カバー３０は装置筐体から取り外しが可能である。また、用紙２０は開閉カバー３０に設けられた開口３０ｃから外部に排出される。また、プラテン１４と印字部１３の図示なき軸受は、常時連結された状態となっている。
【００３６】
以下に変容例の装置の動作について説明する。ここで、検者が表示モニタ８を跳ね上げると、開閉カバー３０のロック爪３０ａが現れる。そして、ロック爪３０ａを押し下げると、ロック爪３０ａと爪１１ａとの係止状態が外れるので、検者は、開閉カバー３０を装置筐体から取り外す。このようにすれば、用紙収納部１２の開口部が現れるので、検者は用紙交換が可能な状態となる。
【００３７】
その後、検者は、用紙収納部１２の開口部から新しい用紙２０を用紙収納部１２にセットし、プラテン１４とサーマルヘッド１５と間に用紙２０を介在させるべく、用紙２０の先端をＡ部分に挿入する。そして、検者は、図示なきギア機構を用いてプラテン１４を回転させることにより用紙２０の紙送りを行い、用紙２０の先端をＢ部分から排出させる。その後、開閉カバー３０の開口３０ｃに用紙２０を通した状態で、開閉カバー３０を閉じることにより用紙交換が完了する。
【図面の簡単な説明】
【００３８】
【図１】本実施形態の外観構成図を説明する図である。
【図２】プリンタ部付近の構成について示す要部断面図である。
【図３】表示モニタを所定位置から退避させることによりプリンタ用紙の交換を可能にした構成について説明する図である。
【図４】プラテンと印字ヘッドが常時連結されたプリンタを用いたときの図である。
【符号の説明】
【００３９】
３  本体部
５  検眼部
８  表示モニタ
１０  プリンタ部
１３  印字部
１４  プラテン
１５  サーマルヘッド
１７  軸受
２０  印字用紙
３０  開閉カバー
３０ａ  ピン
３１  押ボタン
【図１】
2006326181.tif 000003
【図２】
2006326181.tif 000004
【図３】
2006326181.tif 000005
【図４】
2006326181.tif 000006